(57)【特許請求の範囲】
【請求項１】
家屋等の高所に据付けられ、前面が開口するキャビネット本体と、このキャビネット本体の前面を開閉する回動式で、上端を支点として前記キャビネット本体の前面側で上向きに回動できるとともに回動後に奥側に向ってスライド式に水平に収納できる一方、収納状態から前記キャビネット本体の前方に向って引出し再び前記支点が前記キャビネット本体の前端まで移動した時点で前記扉を下方に向って閉回動させることができる回動式の扉とを、その扉の閉位置でロックするキャビネットの扉ロック機構であって、前記キャビネット本体の扉回動端対応部である下端前縁位置に設けられ下向きの係止爪部を有する固定爪と、前記扉の回動端である下端に水平な支持軸を介して回動可能に設けられ前記扉の裏面側に次第に低くなる傾斜をもって突出アーム部の先端に形成されその扉の閉位置で前記固定爪の係止爪部に対応する上向きの係止爪部を有する可動爪と、この可動爪を前記固定爪に係止する上向き方向に係止するスプリングと、前記扉の閉位置で下端部から下方に向って突出し、その扉の開方向への移動によって前記可動爪を前記固定爪から解除動作させるノブと、前記扉に設けられ前記可動爪を前記固定爪への略同一高さの当接位置で停止させる第１のストッパと、前記扉に設けられ前記ノブを前記可動爪が前記固定爪からロック解除される位置で停止させる第２のストッパとを備えたことを特徴とするキャビネットの扉ロック機構。
【請求項２】
請求項１記載のキャビネットの扉ロック機構において、可動爪はスプリングによって固定爪に係止する方向に付勢されており、かつ扉の閉方向への押圧力によって前記可動爪の先端が前記固定爪の先端を前記スプリングの弾性力に抗して乗り越えて係止する構造とされていることを特徴とするキャビネットの扉ロック機構。
【請求項３】
請求項２記載のキャビネットの扉ロック機構において、可動爪とノブとは一体構成とされて１本の支持軸によって扉に回動可能に支持されていることを特徴とするキャビネットのロック機構。
【請求項４】
請求項３記載のキャビネットの扉ロック機構において、ノブはキャビネット本体の前面に対して手の指を挿入し得る隙間をあけて配置されていることを特徴とするキャビネットの扉ロック機構。
【請求項５】
請求項４記載のキャビネットの扉ロック機構において、ノブはその先端側が次第にキャビネット本体から離間する方向に湾曲した形状とされていることを特徴とするキャビネットの扉ロック機構。
【請求項６】
請求項１から５までのいずれかに記載のキャビネットの扉ロック機構において、キャビネットは、高所配置型の食器乾燥庫、水切棚、調味料棚、オーブングリルレンジ、布巾収納庫、小物棚その他これに類するキャビネットであることを特徴とするキャビネットの扉ロック機構。
【発明の詳細な説明】
【０００１】
【発明の属する技術分野】
本発明は、例えば吊下式食器乾燥庫のように家屋等の高所に据付けられるキャビネットのロック機構に係り、特に地震発生時等の衝撃に対して扉を確実にロックして食器等の外部への飛出しを防止できる安全対策とともに、通常使用時における扉の開閉操作を容易に行える利便性を兼備したキャビネットのロック機構に関するものである。
【０００２】
【従来の技術】
近年、キッチン用キャビネット、例えば食器乾燥庫、水切棚、調味料棚、オーブングリルレンジ、布巾収納庫、小物棚等を、利便性向上の面から主婦等の目の高さに設置したキャビネット、いわゆるアイゾーンキャビネットが普及しつつある。
【０００３】
通常、このようなキャビネットは吊戸棚の底板下面への吊下式構成とされ、前面扉が上端を支点として上向きに回動するタイプ、あるいはさらに回動後に奥側に向かってスライド式に水平に収納されるタイプとされる場合が多い。
【０００４】
このように高所に配置されるキャビネットの場合の問題点として、地震時発生の際等に内部の収納物が外に向かって飛び出す危険性が指摘される。特に食器乾燥庫の場合には、割れ易い瀬戸物やガラスで作られた皿や椀、コップ等が収納され、これらが外に飛び出した場合は非常に危険である。
【０００５】
【発明が解決しようとする課題】
従来、このような問題点に対応するアイゾーンキャビネットの扉ロック機構の主なものとして、マグネット等を利用してキャビネット本体に扉の開閉端部を吸着するタイプのものがある。しかし、このマグネットによる吸着力には一定の限界があり、震度の大きい地震発生時等の激しい揺れには必ずしも十分なロック機能を得ることができない。
【０００６】
一方、各種収納器具の扉ロック機構として、鉤形の金具等からなるフックを用いたものが知られている。しかし、これまでのものはロック操作のための取手を扉の表面に対して直角な軸を回動するタイプのものが殆どであり、扉のロックは確実に行えるが、扉開閉の際のロックおよびその解除が扉開閉操作と別の単独操作で行わなければならず、操作が２段階となって面倒であり、通常使用時に扉を比較的頻繁に開閉する食器乾燥庫等のキッチン用キャビネットに適用する場合には、使い勝手が今一つ良くない。
【０００７】
本発明はこのような事情に鑑みてなされたものであり、地震発生時等の衝撃に対して扉を確実にロックして食器等の外部への飛出しを確実に防止できる安全対策の実現と、通常使用時における扉の開閉操作を極めて容易に行える利便性の向上とが図れるキャビネットのロック機構を提供することを目的とする。
【０００８】
【課題を解決するための手段】
前記の目的を達成するために、請求項１の発明では、家屋等の高所に据付けられ、前面が開口するキャビネット本体と、このキャビネット本体の前面を開閉する回動式で、上端を支点として前記キャビネット本体の前面側で上向きに回動できるとともに回動後に奥側に向ってスライド式に水平に収納できる一方、収納状態から前記キャビネット本体の前方に向って引出し再び前記支点が前記キャビネット本体の前端まで移動した時点で前記扉を下方に向って閉回動させることができる回動式の扉とを、その扉の閉位置でロックするキャビネットの扉ロック機構であって、前記キャビネット本体の扉回動端対応部である下端前縁位置に設けられ下向きの係止爪部を有する固定爪と、前記扉の回動端である下端に水平な支持軸を介して回動可能に設けられ前記扉の裏面側に次第に低くなる傾斜をもって突出アーム部の先端に形成されその扉の閉位置で前記固定爪の係止爪部に対応する上向きの係止爪部を有する可動爪と、この可動爪を前記固定爪に係止する上向き方向に係止するスプリングと、前記扉の閉位置で下端部から下方に向って突出し、その扉の開方向への移動によって前記可動爪を前記固定爪から解除動作させるノブと、前記扉に設けられ前記可動爪を前記固定爪への略同一高さの当接位置で停止させる第１のストッパと、前記扉に設けられ前記ノブを前記可動爪が前記固定爪からロック解除される位置で停止させる第２のストッパとを備えたことを特徴とするキャビネットの扉ロック機構を提供する。
【０００９】
請求項２の発明では、請求項１記載のキャビネットの扉ロック機構において、可動爪はスプリングによって固定爪に係止する方向に付勢されており、かつ扉の閉方向への押圧力によって前記可動爪の先端が前記固定爪の先端を前記スプリングの弾性力に抗して乗り越えて係止する構造とされていることを特徴とするキャビネットの扉ロック機構を提供する。
【００１０】
請求項３の発明では、請求項２記載のキャビネットの扉ロック機構において、可動爪とノブとは一体構成とされて１本の支持軸によって扉に回動可能に支持されていることを特徴とするキャビネットのロック機構を提供する。
【００１１】
請求項４の発明では、請求項３記載のキャビネットの扉ロック機構において、ノブはキャビネット本体の前面に対して手の指を挿入し得る隙間をあけて配置されていることを特徴とするキャビネットの扉ロック機構を提供する。
【００１２】
請求項５の発明では、請求項４記載のキャビネットの扉ロック機構において、ノブはその先端側が次第にキャビネット本体から離間する方向に湾曲した形状とされていることを特徴とするキャビネットの扉ロック機構を提供する。
【００１３】
請求項６の発明では、請求項１から５までのいずれかに記載のキャビネットの扉ロック機構において、キャビネットは、高所配置型の食器乾燥庫、水切棚、調味料棚、オーブングリルレンジ、布巾収納庫、小物棚その他これに類するキャビネットであることを特徴とするキャビネットの扉ロック機構を提供する。
【００１４】
【発明の実施の形態】
以下、本発明に係るキャビネットの扉ロック機構の実施形態について図面を参照して説明する。
【００１５】
図１〜図５は食器乾燥庫に適用した一実施形態を示している。図１は扉ロック機構の要部を拡大して示す断面図であり、図２は食器乾燥庫の全体構成を示す斜視図であり、図３は全体構成を示す側面図であり、図４は扉ロック機構の要部の構成部品を拡大して示す分解斜視図であり、図５は同じく背面図である。
【００１６】
図２に全体構成を示すように、本実施形態のキャビネットである食器乾燥庫１は、吊戸棚等の上部構造物２に、図示しない吊金具等を介して吊下げ設置される。この食器乾燥庫１のキャビネット本体３は横長なボックス形であり、前面が開口し、内部には食器立て掛け用の桟４および図示しない熱風供給機構等が設けられ、底板部には図示しないドレン抜きホース等が装着される。
【００１７】
キャビネット本体３の前面開口部には上開き式の扉５が設けられ、この扉５は長方形状のフレーム６と、このフレーム６に保持された対衝撃性の透明板７とを有する構成となっている。そして、扉５のフレーム６の回動端部である下端部のほぼ中央位置に、扉５を図１に示した閉位置でロックするための扉ロック機構８が設けられている。なお、キャビネット本体３には、操作用スイッチ９および図示しない回路構成部品等が装着されている。
【００１８】
図３は、扉５の開閉構造およびその動作を示している。この図３に示すように、扉５は上端を支点ａとして、キャビネット本体３の前面側で上向きに回動できるとともに、回動後に奥側に向かってスライド式に水平に収納できるタイプとなっている。すなわち、扉５の支点ａは両側部のフレーム６部分の外方に設けられた軸をキャビネット本体３の両側壁内面で支持することによって構成されており、この支点ａを中心として扉５の回動端部である下端部をキャビネット本体３の前面側に回動させて次第に持ち上げることで、扉を開回動することができる。この扉５を開回動によって略水平位置まで上昇させると、支点ａ部分はキャビネット本体３の奥側に向ってフリーな状態となる。そして、この水平な状態で扉５をキャビネット本体１の上側部に設けた扉収納ガイド部１０内に、キャビネット本体１の奥側へ向ってスライドさせて収納することができる。
【００１９】
また、扉５を収納状態からキャビネット本体１の前方に向って引出すと、再び支点ａがキャビネット本体１の前端まで移動した時点でキャビネット本体３の両側壁内面で支持され、扉５を下方に向って閉回動させることができる。この閉回動は扉５の自重を利用して行うことができ、それによって扉５が略垂直となってキャビネット本体１の前面の閉位置まで来ると、扉５の下端部に設けられた扉ロック機構８によって扉５がその閉位置でロック状態となる。
【００２０】
ロック機構８は図１に示すように、キャビネット本体３の扉回動端対応部である下端前縁部中央位置に設けられた固定爪１１と、扉５の回動端である下端部に回動可能に設けられ扉５の閉位置で固定爪１１に係止される可動爪１２と、扉５の下端部から下方に向って突出し、扉５の開方向への移動によって可動爪１２を固定爪１１から解除動作させるノブ１３とを備えた構成とされている。
【００２１】
詳述すると、固定爪１１は例えば側面視で逆Ｌ字形をした一定の横幅を有するアングル状基部１４の水平部分１４ａの先端に、下向きの係止爪部１５を設けた構成のものであり、アングル状基部１４の垂直部分１４ｂが、キャビネット本体１の前面下部に設けられたフレームの垂直な前面１６ａに当接している。そして、アングル状基部１４の垂直部分１４ｂから一体に突出した支持柱１７が、フレーム１６の裏側にねじ等の固着具１８によって固着してある。係止爪部１５は、キャビネット本体１のフレーム１６の前面から一定距離離間した位置で、下方に向ってほぼ垂直に垂下し、この係止爪部１５の前側表面１５ａは下向きの爪先端側に向って次第に肉薄となる緩やかな傾斜面とされている。
【００２２】
一方、可動爪１２は、扉５のフレーム６に固定された水平な支持軸１９に回動可能に支持されたボス部２０と、このボス部２０から扉５の裏面側に次第に低くなる傾斜をもって突出するアーム部２１と、このアーム部２１の先端に形成され固定爪１１の係止爪部１５に対応する上向きの係止爪部２２とを有する構成となっている。この可動爪１２の係止爪部２２は、扉５がキャビネット本体１の前面を塞ぐ位置で固定爪１１の係止爪１５に下方から係止するように垂直に立上がり、この係止爪部２２の先端側表面２２ａは上向きの爪先端側に向って次第に肉薄となる緩やかな傾斜面とされている。
【００２３】
そして、この可動爪１２は、支持軸１９の回りに設けた後述するスプリング２３によって上向き、つまり固定爪１１に係止する方向に付勢され、図１に実線で示すように、扉５の閉位置で常に可動爪１２が固定爪１１に係止するロック状態となって扉５を閉状態に保持するようになっている。この両爪１１，１２の係止深さが大きいほどロック作用が確実となる。また、扉５を開状態から閉方向に移動させる際には、後述する第１のストッパ２４によって両爪１１，１２がほぼ同一高さで当接する構成となっている。この両爪１１，１２の当接作用により、固定爪１１の係止爪部１５の傾斜した前側表面１５ａに対し、これと相反する方向に傾斜した可動爪１２の係止爪部２２の先端側表面２２ａが、扉５の閉動作時の押圧力によって下方にスライドして固定爪１１の先端をスプリング２３の弾性力に抗して乗り越え、係止爪部１５，２２同士が互いに係止する構造とされている。
【００２４】
また、可動爪１２を操作するためのノブ１３は、この可動爪１２と同一材料  （例えばポリアセタール）により一体に構成されている。すなわち、ノブ１３は可動爪１２のボス部２０に直接連設されて扉５の下端から下方に突出し、可動爪１２とともに支持軸１９に一定の角度範囲で一体回動可能に支持されている。また、このノブ１３は、キャビネット本体１の前面に対して手の指を挿入し得る隙間をあけて配置されるとともに、このノブ１３の先端側（下端側）が次第にキャビネット本体１から離間する方向に湾曲した形状とされている。
【００２５】
そして、使用者がノブ１３の裏面側に手の指を挿入して扉５の表面側（図１の矢印ｂ方向）に回動させると、ノブ１３の回動によって可動爪１２が支持軸１９を中心として下方に回動し、図１に仮想線で示すように、可動爪１２が固定爪１１から外れ、扉５のロックを解除するとともに、最大限回動させた状態ではノブ１３が扉に設けた後述する第２のストッパ２５に当接し、その後は扉５と一体に回動できるようになっている。そこで使用者は、ロック状態を解除した後、そのロック解除のために使用したノブ１３をそのまま持ち上げ、扉５をさらに開方向（ｂ）に回動させることにより、その扉５自体の開回動をロック解除から一連の動作で連続的に行うことができるようになっている。
【００２６】
次に、図１とともに図４および図５も使用して、可動爪１２等の詳細な部品構成、可動爪１２を付勢するスプリング２３、可動爪１２を固定爪１１への当接位置で停止させるための第１のストッパ２４、およびノブ１３を可動爪１２が固定爪１１からロック解除される位置で停止させる第２のストッパ２５等の構成について説明する。
【００２７】
図４に示すように、可動爪１２は左右１対のものとして構成され、これらが固定爪１１の横幅の寸法内で一定間隔をあけて並列に配置されている。これらの各可動爪１２の各ボス部２０にそれぞれ軸孔２６が穿設され、支持軸１９が挿通されるようになっている。ノブ１３は両ボス部２０の下側に連設され、さらに下端側が摘み部として段状に幅広くなった１枚板構造とされている。また、これら可動爪１２およびノブ１３を支持するため、１枚の幅広な支持板２７が備えられている。この支持板２７には各係止爪１２を通すための左右１対の爪挿通孔２８が穿設されるとともに、この支持板２７の一側面には、支持軸１９を各係止爪１２の両外側で支持するための軸孔２９をそれぞれ有する１対の軸支部３０が突設されている。
【００２８】
そして、図５に示すように、支持板２７の軸支部３０に支持軸１９が挿通支持されるとともに、この支持軸１９に可動爪１２の各ボス部２０が支持され、さらにスプリング２３としての例えば捩じりコイルばねが支持軸１９の中央部回りに装着されている。このスプリング２３が、支持板２７の前面側とノブ１３の前面側との間に弾性力を付与するように取付けられ、これにより可動爪１２が固定爪１１に係止する方向（上向き方向）に付勢されている。また、支持板２７には、扉５のフレーム６に取付けるための上下複数の位置決め当接板３１，３２および固着具挿通孔３３が形成されている。
【００２９】
この支持板２７は図１に示すように、当接板３１，３２を扉５のフレーム６の裏面側に当接させた状態で組込まれる。即ち、フレーム６の裏面側上部に突出した平行な桟３４ａの溝に上側のボルト挿通用孔３３を合致し、この部分に挿通したねじ等の固着具３５によって支持板２７の上側がフレーム６に固着されるとともに、フレーム６の裏面側の下部に突出した先端が対向する折曲部を有する平行な桟３４ｂの蟻溝部にねじ孔付きの係止金具３４ｃが嵌合され、この桟３４ｂの折曲先端部をサンドイッチ状に挟むようにして支持板２７と係止金具３４ｃが対向し、この部分に挿通したねじ等の固着具３５によって支持板２７の下側に１層強固に固着されている。
【００３０】
こうして支持板２７を介して可動爪１２およびノブ１３がフレーム６に組込まれ、扉５が開状態にあって可動爪１２が固定爪１１に係止していない場合には、スプリング２３の弾性力によって、可動爪１２が支持板２７の爪挿通孔２８の上端部に当接する。つまり、この爪挿通孔２８の上端部が前述した第１のストッパ２４となり、可動爪１２を固定爪１１への当接位置に保持するものである。
【００３１】
また、フレーム６の下端部は、このフレーム６の上側の部分よりも肉薄な構成とされている。この肉薄なフレーム６の下端がノブ１３に対向している。そこで、扉５が閉状態にあって可動爪１２が固定爪１１に係止したロック状態から、ノブ１３を操作してロック解除とし、ノブ１３が扉５の前方に移動した場合には、このノブ１３がフレーム６の下端部に当接する状態となる。すなわち、このフレーム６の下端部がノブ１３をロック解除位置で受ける第２のストッパ２５となるものである。
【００３２】
なお、図１および図４に示したキャビネット本体１のフレーム１６には、そのキャビネット本体１の前面側で周縁全体に亘るシール材３６が設けられ、扉５のフレーム６の裏面から突出した突辺状のシール部材３７が当接し、食器乾燥時に発生する蒸気がキャビネット本体１から外方に洩出することを防止できるようになっている。このシール材３６は中空な弾性材からなり、フレーム１６よりも前方に膨んだ形で突出し、扉５のフレーム６が強く当接して凹む状態となることにより、気密シールが図れ、外部からキャビネット本体１内に埃や虫が入ることも確実に防止され、これにより衛生の効果も十分に図られている。
【００３３】
以上の実施形態の構成によれば、扉５の閉状態においては、可動爪１２がスプリング２３によって固定爪１１に係止する方向に付勢されることにより、常に可動爪１２が固定爪１１に係止するロック状態となり、例えば地震発生時等において振動または衝撃が発生してもロック作用により扉５が閉状態に確実に保持され、食器等の外部への飛出しを確実に防止できる安全対策が実現できる。
【００３４】
また、使用者はノブ１３の裏面側に手の指を挿入し、扉５の表面側に回動させることにより、可動爪１２を固定爪１１から容易に外すことができ、扉５のロック解除も手軽に行える。しかも、ノブ１３を最大限回動させた状態では、そのノブ１３が扉に設けた第２のストッパ２５に当接し、その後は扉５と一体に回動できるので、ロック解除のために使用したノブ１３をそのまま持ち上げ、扉５をさらに開方向に回動させることにより、その扉５自体の開回動をロック解除から一連の動作で連続的に行うことができる。
【００３５】
さらに、扉５を開状態から閉状態とする場合には、第１のストッパ２４によって可動１２が固定爪１１とほぼ同一高さで当接し、固定爪１１の係止爪部１５の傾斜した前側表面１５ａに対し、これと相反する方向に傾斜した可動爪１２の係止爪部２２の先端側表面２２ａが、扉５の閉動作時の押圧力によって下方にスライドして固定爪１１の先端をスプリング２３の弾性力に抗して乗り越えることで、係止作用が確実かつ容易に行える。
【００３６】
さらにまた、本実施形態では、ノブ１３をキャビネット本体１の前面から離間する方向に湾曲させているので、使用者がキャビネット本体１とノブ１３との間に手を差し込むための隙間を大きく設定することができ、しかもノブ１３が扉５の表面側に移動した後に第２のストッパ２５に当接するまでのストローク、つまり可動爪１２が係止爪１１から外れるまでの動作範囲をノブ１３の湾曲凹部によって、これを平板状とした場合に比べて大きく設定することができる。したがって、キャビネット本体１とノブ１３との間に設定し得る限られた操作範囲の中で、そのノブ１３のストローク、ひいては可動爪１２の固定爪１１に対する係止深さを最大限にとることができ、それだけロック保持力を大きく設定することができるようになる。
【００３７】
なお、本発明は以上の実施形態に限られるものではなく、種々の変更、応用が可能である。例えば図６は、ノブ１３を「く」字形の折曲板状に構成したものである。このような構成によっても、前記実施形態とほぼ同様の効果が奏される。
【００３８】
また、以上の実施形態では、本発明を食器乾燥庫に適用したが、その他の類似のキャビネット、例えば高所配置型の水切棚、調味料棚、オーブングリルレンジ、布巾収納庫、小物棚等についても、同様に適用することができる。
【００３９】
さらにまた、本発明による扉ロック機構によれば、従来この種のキャビネットで使用されたマグネット式のロック機構が不要となるが、これを併用し、または爪等の構成部にマグネットを利用して、さらにロック機能を向上することも可能である。
【００４０】
また、前記実施形態では爪構成部材をポリアセタールによって構成したので、軽量かつ高強度の構成が実現できる。ただし、これは一例であり、他の樹脂あるいは軽金属等を利用することも可能である。
【００４１】
【発明の効果】
以上の実施形態で詳述したように、本発明に係るキャビネットのロック機構によれば、地震発生時等の衝撃に対して扉を確実にロックして食器等の外部への飛出しを確実に防止できる安全対策の実現と、通常使用時における扉の開閉操作を極めて容易に行える利便性の向上とが図れるという優れた効果が奏される。
【図面の簡単な説明】
【図１】本発明の一実施形態によるキャビネット（食器乾燥庫）の扉ロック機構の要部を拡大して示す断面図。
【図２】前記実施形態における食器乾燥庫の全体構成を示す斜視図。
【図３】前記実施形態における食器乾燥庫の扉の動作を示す側面図。
【図４】前記実施形態における扉ロック機構の要部の構成部品を拡大して示す分解斜視図。
【図５】前記実施形態における扉ロック機構の要部の構成部品を拡大して示す背面図。
【図６】本発明の他の実施形態による食器乾燥庫の扉ロック機構の要部を拡大して示す断面図。
【符号の説明】
１  食器乾燥庫
２  上部構造物
３  キャビネット本体
４  桟
５  扉
６  フレーム
７  透明板
８  扉ロック機構
９  操作用スイッチ
１０  扉収納ガイド部
１１  固定爪
１２  可動爪
１３  ノブ
１４  アングル状基部
１５  係止爪部
１４ａ  水平部分
１４ｂ  垂直部分
１５ａ  前側表面
１６ａ  前面
１７  支持柱
１８  固着具
１９  支持軸
２０  ボス部
２１  アーム部
２２  係止爪部
２２ａ  先端側表面
２３  スプリング
２４  ストッパ
２５  第２のストッパ
２６  軸孔
２７  支持板
２８  爪挿通孔
２９  軸孔
３０  軸支部
３１，３２  位置決め当接板
３３  固着具挿通孔
３４ａ，３４ｂ  桟
３４ｃ  係止金具
３５  固着具
３６  シール材
３７  シール部材
【図１】
0003849895.tif 000002
【図２】
0003849895.tif 000003
【図３】
0003849895.tif 000004
【図４】
0003849895.tif 000005
【図５】
0003849895.tif 000006
【図６】
0003849895.tif 000007